【手続補正書】
【提出日】平成15年3月3日(2003.3.3)
【手続補正１】
【補正対象書類名】明細書
【補正対象項目名】特許請求の範囲
【補正方法】変更
【補正の内容】
【特許請求の範囲】
【請求項１】
情報交換を容易にするシステムであって、
少なくとも１つのデータベースを含むサーバと、
複数のデータセルをもつ少なくとも１つのスプレッドシートを生成するスプレッドシートプログラムと、ブラウザプログラムとを含み、かつ、ネットワークを介して前記サーバと通信するクライアントと、
少なくとも１つの前記データベース内にあらかじめ定義されている、その各々が前記スプレッドシートにアクセスできる複数のユーザを含む少なくとも１つの協力グループと、
前記スプレッドシートに関連した前記データベース内に含まれる少なくとも１つの付属書類に対する少なくとも１つのリンクと
を備え、
前記クライアントの前記ブラウザは、前記スプレッドシートのスクリーンビューから、少なくとも１つの前記付属書類を見ることを容易にするシステム。
【請求項２】
前記情報交換は、階層的な情報交換と非階層的な情報交換とその組み合せとから成る１つの集合から選択される請求項１に記載のシステム。
【請求項３】
前記情報交換は、予算の作成に関連した情報の交換と、予算に対する業績の測定に関連した情報の交換と、予測に対する業績の測定に関連した情報の交換と、それらの組み合せとから成る１つの集合から選択される請求項１に記載のシステム。
【請求項４】
前記サーバが、情報のエンタプライズソースに関連している請求項１に記載のシステム。
【請求項５】
前記クライアントが前記サーバと通信する前記ネットワークが、イントラネット、インターネット、ワールドワイドウェブ、ローカルエリアネットワーク、ワイドエリアネットワークおよびそれらの組み合せから成る１つの集合から選択される請求項１に記載のシステム。
【請求項６】
第１のスプレッドシートを提供する際に前記スプレッドシートプログラムにより使用されるデータが、前記クライアントに関連するスクリーン上に表示されたツールバーにおけるユーザ選択の第１の集合によって決定され、
前記ユーザ選択の第１の集合は、カレントビューを決定し、
前記スプレッドシートプログラムにより提供される第２のスプレッドシートが、前記ツールバーにおける前記ユーザ選択の第１の集合に対するユーザの変化により決定され、
前記ユーザ選択の第１の集合からの任意の不変のユーザ選択は、前記ユーザの変化によって決定される第２のカレントビューに自動的に組み込まれる請求項１に記載のシステム。
【請求項７】
前記カレントビューが、前記クライアントから前記ネットワークを介して前記サーバへ伝送するデータ要求を決定する請求項６に記載のシステム。
【請求項８】
前記カレントビューが、前記クライアントが、前記クライアントに関連したデータキャッシュ内に含まれるデータに基づいて最初に実行しよと試みるデータ要求を、前記データ要求の実行が前記データキャッシュに含まれるデータに基づいて不完全である範囲で決定し、
前記データ要求が、前記クライアントから前記ネットワークを介して前記サーバへ伝送する第２のデータ要求を生じさせる請求項６に記載のシステム。
【請求項９】
前記データ要求が、データの少なくとも２つの部分の要求を含み、
前記データ要求は、前記ネットワークを介した前記クライアントへの単一のクエリーに対して、前記データの少なくとも２つの前記部分を含むように形成される請求項６に記載のシステム。
【請求項１０】
少なくとも１つの前記協力グループが、企業に対して異なる職能的責任を有する地理的に分散した個人を含む請求項１に記載のシステム。
【請求項１１】
少なくとも１つの前記リンクが、少なくとも１つの前記スプレッドシートの複数の前記データセルの中の特定のデータセルに結合される請求項１に記載のシステム。
【請求項１２】
少なくとも１つの前記付属書類が、付属スプレッドシート、ワープロ文書、スライドプレゼンテーション、図形ファイル、音声ファイル、マルチメディアファイルおよび前記ネットワーク上で見ることができるコンテンツから選択される請求項１に記載のシステム。
【請求項１３】
さらに、複数の前記ユーザの中の１人のユーザによって、少なくとも１つの前記協力グループ内の他の前記ユーザによって見られるメッセージが掲示される掲示板を備える請求項１に記載のシステム。
【請求項１４】
さらに、少なくとも１つの前記スプレッドにシートに関連した情報が前記ネットワークを介して前記サーバと通信されるとき、前記協力グループに通知する手段を備える請求項１に記載のシステム。
【請求項１５】
さらに、前記協力グループと、情報の非階層的交換に関連したガイダンスを通信する手段を備える請求項１に記載のシステム。
【請求項１６】
前記通信手段が、戦略、任務、目的、予算基準、予算パラメータ、競争上の情報、経済情報、雇用情報、タイムテーブル、期限およびそれらの組み合せから成る集合から選択される主題に関連した、企業の幹部からの少なくとも１つのメッセージを含む請求項１５に記載のシステム。
【請求項１７】
前記協力グループを定める複数の前記ユーザのうちの少なくとも１人の個人が、少なくとも１つの別の協力グループの構成員である請求項１に記載のシステム。
【請求項１８】
ネットワークを介した、効率性の高いデータベース関連の情報交換を容易にするシステムであって、
少なくとも１つのデータベースを含むサーバと、
複数のデータセルをもつ少なくとも１つのスプレッドシートを生成するスプレッドシートプログラムと、キャッシュとを含み、かつ、前記サーバとネットワークを介して通信するクライアントと
を備え、
前記キャッシュは、少なくとも１つの前記スプレッドシートを提供する際に前記スプレッドシートプログラムによって用いられるデータを記憶し、
少なくとも１つの前記スプレッドシートを提供しようとする前記スプレッドシートプログラムに応答して、前記キャッシュは、少なくとも１つの前記スプレッドシートを提供するために必要とされるデータが、前記キャッシュによってあらかじめ記憶されているかどうかを判断し、
少なくとも１つの前記スプレッドシートを提供するために必要とされるデータが前記キャッシュによってあらかじめ記憶されない範囲で、前記キャッシュは、前記クライアントから前記ネットワークを介して前記サーバに伝送する、必要とされたデータの全てを要求する単一のクエリーを形成するシステム。
【請求項１９】
前記キャッシュは、前記キャッシュによってあらかじめ記憶されたデータを、前記ネットワークを介して前記サーバに単一の前記クエリーを伝送する前に、少なくとも１つの前記スプレッドシートを提供する際に使用される前記スプレッドシートプログラムに提供する請求項１８に記載のシステム。
【請求項２０】
前記キャッシュが、前記サーバから、前記ネットワークを介して、前記キャッシュによってあらかじめ記憶されていないデータを含む応答を受け取る請求項１８に記載のシステム。
【請求項２１】
前記キャッシュは、前記応答として受け取られた前記データを、少なくとも１つの前記スプレッドシートを提供する際に使用する前記スプレッドシートプログラムへ提供する前に、前記サーバからの前記応答として受け取られた前記データを記憶する請求項２０に記載のシステム。
【請求項２２】
前記クライアントに関連した前記スプレッドシートプログラムが、前記ネットワークを介した前記サーバとの通信がない場合に実施可能である請求項１８に記載のシステム。
【請求項２３】
前記ネットワークを介した前記サーバとの通信がない場合に、前記スプレッドシートプログラムが、少なくとも１つの前記スプレッドシートを提供するために前記キャッシュに記憶されたデータを使用する請求項２２に記載のシステム。
【請求項２４】
前記ネットワークを介した前記サーバとの通信がない場合に、前記スプレッドシートプログラムが、前記クライアントに対する付属駆動装置に関連した媒体からのデータにアクセスする請求項２２に記載のシステム。
【請求項２５】
前記クライアントが、前記ネットワークを介した前記サーバとの通信がない場合に、前記クライアントにおける前記スプレッドシートプログラムの動作に基づいて前記クライアントと前記サーバとの間のデータ伝送を更新するために、前記サーバと前記ネットワークを介して通信する請求項２２に記載のシステム。
【請求項２６】
前記ネットワークが、イントラネット、インターネット、ワールドワイドウェブ、ローカルエリアネットワーク、ワイドエリアネットワークおよびそれらの組み合せから成る１つの集合から選択される請求項１８に記載のシステム。
【請求項２７】
前記サーバが、ユーザのアクセスクリアランスに基づいて、少なくとも１つの前記データベース内に含まれるデータへのアクセスを制限する請求項１８に記載のシステム。
【請求項２８】
１人のユーザが、少なくとも１つの協力グループの構成員であり、少なくとも１つの前記協力グループ内の各々の構成員は、少なくとも１つの前記データベース内の対応するデータにアクセスするアクセスクリアランスが提供される請求項２７に記載のシステム。
【請求項２９】
前記キャッシュは、数値データと数値でないデータの両方のデータを記憶する請求項１８に記載のシステム。
【請求項３０】
前記キャッシュ内に記憶されるデータは、前記クライアントに入力されるデータと、前記サーバから前記ネットワークを介して読み出されたデータと、それらの組み合せとから成る集合から得られる請求項１８に記載のシステム。